(57)【特許請求の範囲】
【請求項１】
箱状のハウジングを有し、このハウジングには互いに対向する第１の開口部と第２の開口部が設けられ、これら第１と第２の各開口部はそれぞれ仕切り部材により上下２段に区分されて光コネクタ挿入口が２段に配列形成されており、上記第１の開口部と第２の開口部のうちの少なくとも一方の開口部における上段の光コネクタ挿入口の上部側と下段の光コネクタ挿入口の下部側には各光コネクタ挿入口からハウジングの内部に導入される光コネクタの保持と保持解除とが自在なクリップが装着され、上記第１と第２の各開口部における上下２段の光コネクタ挿入口の配列領域の左右両側には上記上下２段の光コネクタ挿入口とは光コネクタ挿入方向が９０°異なる光コネクタ挿入口が上記上下２段の光コネクタ挿入口に跨って形成されており、その右側の光コネクタ挿入口の右部側と左側の光コネクタ挿入口の左部側にはそれぞれクリップが装着されていることを特徴とする光コネクタ用アダプタ。
【請求項２】
箱状の横長のハウジングを有し、このハウジングには互いに対向する横長の第１の開口部と第２の開口部が設けられ、これら第１と第２の各開口部はそれぞれ横方向の仕切り部材により上下２段に区分され、かつ、縦方向の仕切り部材により２列以上に区分されてマトリクス状に配置された複数の光コネクタ挿入口が形成されており、上記第１の開口部と第２の開口部のうちの少なくとも一方の開口部における上段のマトリクスの各光コネクタ挿入口の上部側と下段のマトリクスの各光コネクタ挿入口の下部側には各光コネクタ挿入口からハウジングの内部に導入される光コネクタの保持と保持解除とが自在なクリップが装着され、上記第１と第２の各開口部における上下２段の光コネクタ挿入口の配列領域の左右両側には上記上下２段の光コネクタ挿入口とは光コネクタ挿入方向が９０°異なる光コネクタ挿入口が上記上下２段の光コネクタ挿入口に跨って形成されており、その右側の光コネクタ挿入口の右部側と左側の光コネクタ挿入口の左部側にはそれぞれクリップが装着されていることを特徴とする光コネクタ用アダプタ。
【請求項３】
箱状のハウジングを有し、このハウジングには互いに対向する第１の開口部と第２の開口部が設けられ、これら第１と第２の各開口部はそれぞれ仕切り部材により上下２段に区分されて光コネクタ挿入口が２段に配列形成されており、上記第１の開口部と第２の開口部のうちの少なくとも一方の開口部における上段の光コネクタ挿入口の上部側と下段の光コネクタ挿入口の下部側には各光コネクタ挿入口からハウジングの内部に導入される光コネクタの保持と保持解除とが自在なクリップが装着され、上記ハウジングの上部側と下部側にはそれぞれ取り付け鍔部が突出形成されており、各クリップを操作する際に各クリップの操作部の突き出し高さを上記取り付け鍔部の突き出し高さよりも低い位置に規制するクリップのストッパー手段が設けられていることを特徴とする光コネクタ用アダプタ。
【請求項４】
箱状の横長のハウジングを有し、このハウジングには互いに対向する横長の第１の開口部と第２の開口部が設けられ、これら第１と第２の各開口部はそれぞれ横方向の仕切り部材により上下２段に区分され、かつ、縦方向の仕切り部材により２列以上に区分されてマトリクス状に配置された複数の光コネクタ挿入口が形成されており、上記第１の開口部と第２の開口部のうちの少なくとも一方の開口部における上段のマトリクスの各光コネクタ挿入口の上部側と下段のマトリクスの各光コネクタ挿入口の下部側には各光コネクタ挿入口からハウジングの内部に導入される光コネクタの保持と保持解除とが自在なクリップが装着され、上記ハウジングの上部側と下部側にはそれぞれ取り付け鍔部が突出形成されており、各クリップを操作する際に各クリップの操作部の突き出し高さを上記取り付け鍔部の突き出し高さよりも低い位置に規制するクリップのストッパー手段が設けられていることを特徴とする光コネクタ用アダプタ。
【請求項５】
ハウジングの上部側と下部側にはそれぞれ取り付け鍔部が突出形成されており、各クリップを操作する際に各クリップの操作部の突き出し高さを上記取り付け鍔部の突き出し高さよりも低い位置に規制するクリップのストッパー手段が設けられていることを特徴とする請求項１又は請求項２記載の光コネクタ用アダプタ。
【発明の詳細な説明】
【０００１】
【発明の属する技術分野】
本発明は光コネクタの接続端面同士を突き合わせ接続するための光コネクタ用アダプタに関するものである。
【０００２】
【従来の技術】
図５（ａ）には光コネクタ用アダプタの一例が斜視図により示され、また、図６には図５（ａ）に示す右側から光コネクタ用アダプタを見た場合の側面図が示されている。この図５（ａ）および図６に示す光コネクタ用アダプタ１は箱状のハウジング２を有し、このハウジング２には互いに対向する第１の開口部３と第２の開口部４が形成されている。これら第１と第２の各開口部３，４はそれぞれ図５（ｃ）に示すような光コネクタ（例えば、ＭＴコネクタ）５の接続端面５ａ側をハウジング２の内部に導入する光コネクタ挿入口と成している。これら第１と第２の各開口部３，４からそれぞれハウジング２の内部に導入された光コネクタ５の接続端面同士は突き合わせ接続される。
【０００３】
上記光コネクタ５は例えば多心フェルール６に多心光ファイバテープ心線７が接続されて成るものであり、上記多心光ファイバテープ心線７の各光ファイバ８の端面が上記多心フェルール６の接続端面５ａに露出されている。なお、図５（ｃ）に示す１０ａ，１０ｂは接続し合う光コネクタ５間に跨って配置されるガイドピン（図示せず）が嵌合されるピン嵌合穴である。
【０００４】
上記ハウジング２には上部側と下部側にそれぞれ取り付け用鍔部１１が突出形成され、この取り付け用鍔部１１には貫通孔１１ａが設けられている。この貫通孔１１ａにビス等を挿入して取り付け用鍔部１１を所望の取り付け場所に固定することにより、光コネクタ用アダプタ１の取り付けが成される。
【０００５】
上記第１の開口部３の上部側にはクリップ１２が設けられている。このクリップ１２は第１の開口部３からハウジング２の内部に導入される光コネクタ５を保持するものであり、アーム部１３と支持部１４と押圧部１５と操作部１６を有して構成されている。
【０００６】
つまり、図５（ａ）に示すように、ハウジング２の左右両側面にそれぞれ設けられた回動中心部１３ａから第１の開口部３の上部側に向けてアーム部１３が伸長形成されており、これら左右両側のアーム部１３の先端側に掛け渡して支持部１４がハウジング２の上部側に配置されている。また、この支持部１４から第１の開口部３よりも外側に向けて操作部１６が伸長形成され、さらに、上記支持部１４から第１の開口部３の外側に伸長された後に第１の開口部３に向けて折り曲げられて成る押圧部１５が設けられている。上記アーム部１３は操作部１６の上下方向の操作に伴って図５（ｂ）の矢印に示すように回動中心部１３ａを支点にして回動し、支持部１４、押圧部１５を上下方向に変動させるものである。
【０００７】
このようなクリップ１２によって次に示すように光コネクタ５が保持される。例えば、まず、上記操作部１６を上方向に操作して押圧部１５を第１の開口部３よりも上側にずらして第１の開口部３を開け、この状態で、第１の開口部３からハウジング２の内部に光コネクタ５の接続端面側を挿入させる。この後に、上記操作部１６を下方向に操作して押圧部１５を第１の開口部３側に変動させ、押圧部１５によって、上記挿入された光コネクタ５の後端面を弾性力により押圧して光コネクタ５の接続端面を接続相手側の光コネクタ５の接続端面に押し付けて固定する。このようにクリップ１２によって、光コネクタ５を保持することができる。なお、図示されていないが、光コネクタ５の後端面を押圧する位置で押圧部１５を位置決め保持する位置決め保持手段が設けられている。
【０００８】
また、上記光コネクタ５をハウジング２から取り外すときには、上記操作部１６を上方向に操作して図５（ｂ）に示すように押圧部１５を第１の開口部３よりも上側にずらすだけで、押圧部１５による光コネクタ５の押圧は解除され、光コネクタ５をハウジング２の外部に引き抜くことができる。
【０００９】
上記のように、クリップ１２は光コネクタ５の保持と保持解除とを自在にするものである。
【００１０】
上記ハウジング２における第２の開口部４側には上部側と下部側にそれぞれ固定部１７が設けられている。上記固定部１７は図６に示すように第２の開口部４の内側に向けて突出した断面形状が三角形状のものである。つまり、固定部１７は、ハウジング２の内壁面から開口面積を狭める方向に起立した係止面１７ａと、該係止面１７ａの先端から開口面積を広げる方向に傾斜を付けて設けられたガイド面１７ｂとを有している。また、ハウジング２の上壁（あるいは底壁）には図５（ａ）に示すように上記固定部１７を挟み込むように２本の切り込み部１８が第２の開口部４の端縁からハウジング２の中心部に向けて形成されている。
【００１１】
例えば、上記第２の開口部４に光コネクタ５の接続端面を対向させ、該光コネクタ５を第２の開口部４からハウジング２の内部に挿入していくと、光コネクタ５は上記固定部１７のガイド面１７ｂに当接して該ガイド面１７ｂに押し上げ力を加える。この押し上げ力により、上記切り込み部１８に挟まれた壁面が持ち上がって開口部が広がり、光コネクタ５はガイド面１７ｂに沿って内部に挿入していくことができる。そして、光コネクタ５の後端面が上記固定部１７の係止面１７ａよりもハウジング２の内部に入り込むと、光コネクタ５によるガイド面１７ｂの押し上げ力が無くなって上記切り込み部１８に挟まれた壁面が戻る。
【００１２】
これにより、第２の開口部４からハウジング２の内部に挿入嵌合された光コネクタ５は、前記第１の開口部３側のクリップ１２によって抜け方向の押圧力が加えられても、光コネクタ５の後端面が係止面１７ａに係止してハウジング２から光コネクタ５が抜けてしまうことが防止される。
【００１３】
上記のように、図５（ａ）に示す光コネクタ用アダプタ１は構成されている。
【００１４】
【発明が解決しようとする課題】
ところで、上記の如く、図５（ａ）に示す光コネクタ用アダプタ１では、１組の光コネクタ５の接続しか行えず、また、ハウジング２の上下両側にそれぞれ取り付け用鍔部１１が突出形成されている。このことから、多数組の光コネクタ５の接続を行うために複数の光コネクタ用アダプタ１を例えば上下左右方向にマトリクス状に配列して設置する場合には、上下に隣り合うハウジング２間の間隔が広くなり、突き合わせ接続する複数組の光コネクタ５を高密度に配置することができず、多数の光コネクタ接続をシステム化して行うためには広いスペースが必要であるという問題があった。
【００１５】
特に、図７に示すように、上下に隣り合う光コネクタ用アダプタ１の各クリップ１２が対向し合うように光コネクタ用アダプタ１が上下方向に配列配置される場合には、上下に隣り合う光コネクタ用アダプタ１のハウジング２間の間隔をより一層広げる必要があり、光コネクタ接続の高密度化が困難であり、光コネクタ接続のシステム化にはより広いスペースを要するという問題が生じてしまう。
【００１６】
それというのは、図６に示すように、各光コネクタ用アダプタ１のクリップ１２はその操作部１６の突き出し高さが取り付け用鍔部１１の突き出し高さよりも高くなるように形成されている。このために、上下に隣り合う各クリップ１２の操作部１６が互いに操作の邪魔に成らないように、上下に隣り合うハウジング２間の間隔をより一層広げて光コネクタ用アダプタ１を配置しなければならないこととなり、上記光コネクタ接続の高密度化が妨げられている。
【００１７】
本発明は上記課題を解決するために成されたものであり、その目的は、多数組の光コネクタの接続を高密度に行うことを可能にする光コネクタ用アダプタを提供することにある。
【００１８】
【課題を解決するための手段】
上記目的を達成するために、この発明は次に示すような構成をもって前記課題を解決する手段としている。すなわち、第１の発明は、箱状のハウジングを有し、このハウジングには互いに対向する第１の開口部と第２の開口部が設けられ、これら第１と第２の各開口部はそれぞれ仕切り部材により上下２段に区分されて光コネクタ挿入口が２段に配列形成されており、上記第１の開口部と第２の開口部のうちの少なくとも一方の開口部における上段の光コネクタ挿入口の上部側と下段の光コネクタ挿入口の下部側には各光コネクタ挿入口からハウジングの内部に導入される光コネクタの保持と保持解除とが自在なクリップが装着され、上記第１と第２の各開口部における上下２段の光コネクタ挿入口の配列領域の左右両側には上記上下２段の光コネクタ挿入口とは光コネクタ挿入方向が９０°異なる光コネクタ挿入口が上記上下２段の光コネクタ挿入口に跨って形成されており、その右側の光コネクタ挿入口の右部側と左側の光コネクタ挿入口の左部側にはそれぞれクリップが装着されている構成をもって前記課題を解決する手段としている。
【００１９】
第２の発明は、箱状の横長のハウジングを有し、このハウジングには互いに対向する横長の第１の開口部と第２の開口部が設けられ、これら第１と第２の各開口部はそれぞれ横方向の仕切り部材により上下２段に区分され、かつ、縦方向の仕切り部材により２列以上に区分されてマトリクス状に配置された複数の光コネクタ挿入口が形成されており、上記第１の開口部と第２の開口部のうちの少なくとも一方の開口部における上段のマトリクスの各光コネクタ挿入口の上部側と下段のマトリクスの各光コネクタ挿入口の下部側には各光コネクタ挿入口からハウジングの内部に導入される光コネクタの保持と保持解除とが自在なクリップが装着され、上記第１と第２の各開口部における上下２段の光コネクタ挿入口の配列領域の左右両側には上記上下２段の光コネクタ挿入口とは光コネクタ挿入方向が９０°異なる光コネクタ挿入口が上記上下２段の光コネクタ挿入口に跨って形成されており、その右側の光コネクタ挿入口の右部側と左側の光コネクタ挿入口の左部側にはそれぞれクリップが装着されている構成をもって前記課題を解決する手段としている。
【００２０】
第３の発明は、箱状のハウジングを有し、このハウジングには互いに対向する第１の開口部と第２の開口部が設けられ、これら第１と第２の各開口部はそれぞれ仕切り部材により上下２段に区分されて光コネクタ挿入口が２段に配列形成されており、上記第１の開口部と第２の開口部のうちの少なくとも一方の開口部における上段の光コネクタ挿入口の上部側と下段の光コネクタ挿入口の下部側には各光コネクタ挿入口からハウジングの内部に導入される光コネクタの保持と保持解除とが自在なクリップが装着され、上記ハウジングの上部側と下部側にはそれぞれ取り付け鍔部が突出形成されており、各クリップを操作する際に各クリップの操作部の突き出し高さを上記取り付け鍔部の突き出し高さよりも低い位置に規制するクリップのストッパー手段が設けられていることを特徴として構成されている。
【００２１】
第４の発明は、箱状の横長のハウジングを有し、このハウジングには互いに対向する横長の第１の開口部と第２の開口部が設けられ、これら第１と第２の各開口部はそれぞれ横方向の仕切り部材により上下２段に区分され、かつ、縦方向の仕切り部材により２列以上に区分されてマトリクス状に配置された複数の光コネクタ挿入口が形成されており、上記第１の開口部と第２の開口部のうちの少なくとも一方の開口部における上段のマトリクスの各光コネクタ挿入口の上部側と下段のマトリクスの各光コネクタ挿入口の下部側には各光コネクタ挿入口からハウジングの内部に導入される光コネクタの保持と保持解除とが自在なクリップが装着され、上記ハウジングの上部側と下部側にはそれぞれ取り付け鍔部が突出形成されており、各クリップを操作する際に各クリップの操作部の突き出し高さを上記取り付け鍔部の突き出し高さよりも低い位置に規制するクリップのストッパー手段が設けられていることを特徴として構成されている。また、第５の発明は、上記第１又は第２の発明の構成を備え、ハウジングの上部側と下部側にはそれぞれ取り付け鍔部が突出形成されており、各クリップを操作する際に各クリップの操作部の突き出し高さを上記取り付け鍔部の突き出し高さよりも低い位置に規制するクリップのストッパー手段が設けられていることを特徴として構成されている。
【００２２】
上記構成の発明において、例えば、ハウジングの第１と第２の各開口部の光コネクタ挿入口にそれぞれ光コネクタの接続端面を対向させ、それら光コネクタをそれぞれ対向する光コネクタ挿入口からハウジングの内部に挿入して光コネクタの接続端面同士を突き合わせ接続させる。そして、第１の開口部と第２の開口部の少なくとも一方の開口部の光コネクタ挿入口に設けられているクリップによって上記光コネクタを保持固定する。
【００２３】
この発明では、例えば、ハウジングの第１と第２の各開口部をそれぞれ仕切り部材により上下２段に区分して光コネクタ挿入口を形成しているので、１つの光コネクタ用アダプタで複数組の光コネクタ接続が成されることとなる。また、上段の光コネクタ挿入口の上部側と下段の光コネクタ挿入口の下部側にそれぞれクリップを設ける構成とした。つまり、上下に隣り合う光コネクタ挿入口間にクリップを設けていないので、それら上下に隣り合う光コネクタ挿入口間の間隔を非常に狭くでき、複数組の光コネクタの接続を高密度に行うことができることとなる。
【００２４】
また、クリップのストッパー手段を設け、該ストッパー手段によって、クリップの突き出し高さをハウジングに突出形成された取り付け用鍔部の突き出し高さよりも低い位置に規制する構成とすることにより、この発明の光コネクタ用アダプタを上下方向に配列配置する際に、上記クリップの操作部の突き出し高さを気にせずに、上下に隣り合う取り付け用鍔部間の間隔を狭くして光コネクタ用アダプタを配列配置することができ、光コネクタ接続のより一層の高密度化を図ることができる。
【００２５】
【発明の実施の形態】
以下に、この発明に係る実施形態例を図面に基づいて説明する。
【００２６】
図１には第１の実施形態例において特徴的な光コネクタ用アダプタが示されている。なお、この第１の実施形態例の説明において、前記従来例に示した光コネクタ用アダプタと同一名称部分には同一符号を付し、その重複説明は省略する。
【００２７】
この第１の実施形態例において特徴的なことは、１つのハウジング２で２組の光コネクタ５の突き合わせ接続を行うことを可能にすると共に、それら２組の光コネクタ５間の間隔を狭くして高密度な光コネクタ接続を達成できる構成としたことである。それ以外の構成は前記従来例とほぼ同様である。
【００２８】
すなわち、図１に示すように、光コネクタ用アダプタ１のハウジング２の互いに対向する第１と第２の各開口部３，４は仕切り部材２０によって上下２段に区分されている。これにより、第１の開口部３には上段の光コネクタ挿入口２１と下段の光コネクタ挿入口２２が区分形成され、同様に、第２の開口部４には上段の光コネクタ挿入口２３と下段の光コネクタ挿入口２４が区分形成されている。
【００２９】
上記ハウジング２の上部側と下部側にはそれぞれ取り付け用鍔部１１が突出形成されている。また、図１および図２（ｂ）に示すように、第２の開口部４の各光コネクタ挿入口２３，２４側にはそれぞれ固定部１７が設けられている。
【００３０】
この第１の実施形態例では、上記ハウジング２と取り付け用鍔部１１と固定部１７と仕切り部材２０は例えば樹脂を射出成型して一体的に製造されたものである。
【００３１】
上記第１の開口部３側における上段の光コネクタ挿入口２１にはその上部側にクリップ１２が装着され、下段の光コネクタ挿入口２２にはその下部側にクリップ１２が装着されている。上記上段のクリップ１２の操作部１６は、図２（ａ）に示すように、光コネクタ５の保持を解除する操作方向（保持解除操作方向）が上向きであり、下段のクリップ１２の操作部１６は保持解除操作方向が下向きとなっている。
【００３２】
ところで、従来では、図２（ｂ）の点線に示すように、クリップ１２の操作部１６の突き出し高さは取り付け用鍔部１１の突き出し高さよりも高くなる構成であった。これに対して、この第１の実施形態例では、支持部１４の幅が前記従来例よりも広幅に形成されており、図２（ｂ）の実線に示すように、上下の各クリップ１２の操作部１６を保持解除操作方向に操作した際に、上記支持部１４の取り付け用鍔部１１に対向している端面が取り付け用鍔部１１に当て止めされて操作部１６の突き出し高さを取り付け用鍔部１１の突き出し高さよりも低い位置に規制している。このように、取り付け用鍔部１１と支持部１４によって、操作部１６の突き出し高さを取り付け用鍔部１１の突き出し高さよりも低い位置に規制するクリップのストッパー手段が構成されている。
【００３３】
この第１の実施形態例に示す光コネクタ用アダプタ１は上記のように構成されている。このような光コネクタ用アダプタ１では、上記各光コネクタ挿入口２１，２２，２３，２４にそれぞれ光コネクタ５の接続端面を対向させ、それら各光コネクタ５をそれぞれ対向する光コネクタ挿入口２１，２２，２３，２４からハウジング２の内部に挿入することで、２組の光コネクタ５の突き合わせ接続が成される。
【００３４】
この第１の実施形態例によれば、ハウジング２の第１と第２の各開口部３，４をそれぞれ仕切り部材２０によって上下２段に区分して光コネクタ挿入口２１，２２，２３，２４を形成しているので、１つの光コネクタ用アダプタ１で、２組の光コネクタ５の接続を行うことができることとなる。
【００３５】
また、この第１の実施形態例では、上記のように、第１の開口部３における上段の光コネクタ挿入口２１の上部側と下段の光コネクタ挿入口２２の下部側にそれぞれクリップ１２を設けるので、つまり、上下２段に配列されている光コネクタ挿入口２１，２２間にクリップ１２を設けないので、それら光コネクタ挿入口２１，２２間の間隔を非常に狭くすることができる。これにより、２組の光コネクタ５を近接配置することができ、高密度な光コネクタ接続が成される。
【００３６】
さらに、この第１の実施形態例では、広幅の支持部１４と取り付け用鍔部１１によって、クリップ１２の操作部１６の突き出し高さが取り付け用鍔部１１の突き出し高さよりも高くならない構成を備えている。この構成により、この第１の実施形態例に示す光コネクタ用アダプタ１を上下方向に配列して設置する際には、クリップ１２の操作部１６の突き出し高さを気にすることなく、上下に隣り合う取り付け用鍔部１１間の間隔を開けずに光コネクタ用アダプタ１を配列設置することができ、より多数組の光コネクタ５を高密度に配置することができる。
【００３７】
上記のように、この第１の実施形態例に示した光コネクタ用アダプタ１を用いることによって、多数の光コネクタ接続をシステム化して行う際に、省スペースで、要求される数の光コネクタ接続を得ることができることとなる。
【００３８】
なお、図１では、取り付け用鍔部１１の突き出し方向が上下方向となるように光コネクタ用アダプタ１が図示されているが、光コネクタ用アダプタ１は図１に示す姿勢でもって取り付けられるとは限らず、例えば、上記取り付け用鍔部１１の突き出し方向が左右方向となるような姿勢でもって光コネクタ用アダプタ１を取り付けてもよく、光コネクタ用アダプタ１を配設する際の姿勢は図１の状態に限定されるものではない。
【００３９】
以下に、第２の実施形態例を説明する。なお、この第２の実施形態例の説明において、前記第１の実施形態例と同一構成部分には同一符号を付し、その重複説明は省略する。
【００４０】
この第２の実施形態例において特徴的なことは、図３に示すように、第１と第２の各開口部３，４に複数の光コネクタ挿入口をマトリクス状に区分形成して８組の光コネクタ５の接続を行うことを可能にすると共に、それら光コネクタ５の接続組の高密度な配置を達成できる構成を備えていることである。それ以外の構成はほぼ前記第１の実施形態例と同様である。
【００４１】
すなわち、図３に示すように、第１と第２の各開口部３，４は横長な形状と成し、これら第１と第２の各開口部３，４は横方向の仕切り部材２６によって上下２段に区分され、かつ、縦方向の仕切り部材２７によって４列に区分されて、第１と第２の各開口部３，４にはそれぞれ８個の光コネクタ挿入口が形成されている。
【００４２】
この第２の実施形態例においても、前記第１の実施形態例と同様に、ハウジング２と取り付け用鍔部１１と固定部１７と横方向の仕切り部材２６と縦方向の仕切り部材２７は例えば樹脂の射出成型等により一体的に製造されている。
【００４３】
また、この第２の実施形態例では、第１の開口部３側の上段の光コネクタ挿入口２１ａ，２１ｂ，２１ｃ，２１ｄにはその上部側にそれぞれクリップ１２が装着されており、下段の光コネクタ挿入口２２ａ，２２ｂ，２２ｃ，２２ｄにはその下部側にクリップ１２が装着されている。上記各クリップ１２の支持部１４は前記第１の実施形態例と同様に広幅に形成されており、各クリップ１２の操作部１６を保持解除操作方向に操作した際に、支持部１４の取り付け用鍔部１１に対向する端面が取り付け用鍔部１１に当て止めされて操作部１６の突き出し高さが取り付け用鍔部１１の突き出し高さよりも低くなる構成と成っている。
【００４４】
この第２の実施形態例によれば、第１と第２の各開口部３，４を区分形成して８個の光コネクタ挿入口が形成されており、１つの光コネクタ用アダプタ１で、８組の光コネクタ５の接続を行うことができる。
【００４５】
また、前記第１の実施形態例と同様に、第１と第２の各開口部３，４にそれぞれ区分形成されている各光コネクタ挿入口間の間隔は非常に狭く、かつ、第２の実施形態例に示す光コネクタ用アダプタ１を上下方向に配列する際に、クリップ１２の操作部１６の突き出し高さを気にせずに、上下に隣り合う取り付け用鍔部１１の間隔を狭めて光コネクタ用アダプタ１を上下に配置することができるので、突き合わせ接続する複数組の光コネクタ５を非常に近接して配設することができ、光コネクタ接続の高密度化を図ることが容易となる。
【００４６】
以下に、第３の実施形態例を説明する。なお、この第３の実施形態例の説明において、前記各実施形態例と同一構成部分には同一符号を付し、その共通部分の重複説明は省略する。
【００４７】
この第３の実施形態例において特徴的なことは、図４に示すように、第１と第２の各開口部３，４における上下２段の光コネクタ挿入口の配列領域の左右両側にさらに光コネクタ挿入口を設けたことである。それ以外の構成は前記各実施形態例とほぼ同様である。
【００４８】
すなわち、図４に示す例では、第１と第２の各開口部３，４はそれぞれ仕切り部材によって４区分されて、上下２段の横向き光コネクタ挿入口３０，３１と、左右両側の縦向き光コネクタ挿入口３２，３３との合計４個の光コネクタ挿入口が区分形成されている。
【００４９】
上記左右両側の縦向き光コネクタ挿入口３２，３３はそれぞれ上下２段の横向き光コネクタ挿入口３０，３１に跨って形成されている。その横向き光コネクタ挿入口３０，３１には光コネクタ５を横向きで挿入するのに対して、上記縦向き光コネクタ挿入口３２，３３には上記横向きの光コネクタ挿入方向と９０°異なる縦向きで光コネクタ５が挿入される。
【００５０】
この第３の実施形態例においても、前記各実施形態例と同様に、ハウジング２と取り付け用鍔部１１と固定部１７と仕切り部材は例えば樹脂の射出成型等によって一体的に製造されている。
【００５１】
上記第１の開口部３における上段の光コネクタ挿入口３０の上部側と下段の光コネクタ挿入口３１の下部側と左側の光コネクタ挿入口３２の左部側と右側の光コネクタ挿入口３３の右部側とにそれぞれクリップ１２が設けられている。図４（ｂ）の矢印に示すように、上段、下段、左側、右側の各クリップ１２の操作部１６はそれぞれ光コネクタ５の保持解除操作方向が上向き、下向き、左向き、右向きである。
【００５２】
また、前記各実施形態例と同様に、上段と下段の各クリップ１２の支持部１４は広幅に形成されており、操作部１６を光コネクタ５の保持解除操作方向に操作した際に、上記支持部１４の取り付け用鍔部１１に対向する端面が取り付け用鍔部１１に当て止めされて、操作部１６の突き出し高さを取り付け用鍔部１１の突き出し高さよりも低い位置に規制する構成と成している。
【００５３】
この第３の実施形態例によれば、前記各実施形態例と同様に、第１と第２の各開口部３，４をそれぞれ複数に区分して複数の光コネクタ挿入口を形成しているので、１つの光コネクタ用アダプタ１で、複数組の光コネクタ５の接続を行うことができる。また、上記複数の各光コネクタ挿入口間の間隔が非常に狭いので、複数組の光コネクタ５の接続を高密度に配置することができる。その上、この第３の実施形態例に示すような光コネクタ用アダプタ１を上下方向に配列する際には上下に隣り合う取り付け用鍔部１１間の間隔を開けずに光コネクタ用アダプタ１を配列配置することができる。
【００５４】
このように、この第３の実施形態例においても、前記各実施形態例と同様に、光コネクタ接続をシステム化する際に、省スペースで要求する数の光コネクタ５の接続組を配置することができることとなる。
【００５５】
なお、この発明は上記各実施形態例に限定されるものではなく、様々な実施の形態を採り得る。例えば、上記各実施形態例では、第１の開口部３と第２の開口部４のうちの一方の開口部側のみ（上記各実施形態例では第１の開口部３側）のみにクリップ１２が設けられていたが、第１の開口部３と第２の開口部４の両方側の各光コネクタ挿入口にそれぞれクリップ１２を設けてもよい。もちろん、第２の開口部４にクリップ１２を設ける場合にも、上段の光コネクタ挿入口には上部側に、また、下段の光コネクタ挿入口には下部側にそれぞれクリップ１２が装着されることとなる。
【００５６】
また、上記各実施形態例では、クリップ１２は図１等に示す形態を有し、操作部１６を取り付け用鍔部１１の突き出し方向に操作すると、光コネクタ５の保持解除を行う構成であったが、クリップ１２は上記各実施形態例に示した形態に限定されるものではなく、様々な形態を採り得る。例えば、クリップ１２は、操作部１６を取り付け用鍔部１１の突き出し方向に操作したときに光コネクタ５を保持する形態としてもよく、この場合には、光コネクタ５を保持する操作方向に操作部１６を操作した際に、その操作部１６の突き出し高さを取り付け用鍔部１１の突き出し高さよりも低い位置に規制するためのストッパー手段を設けることが望ましい。
【００５７】
さらに、上記各実施形態例では、ハウジング２と取り付け用鍔部１１と固定部１７と仕切り部材は樹脂を射出成型して一体的に製造されていたが、例えば、ハウジング２と取り付け用鍔部１１をそれぞれ別個に製造してハウジング２に取り付け用鍔部１１を取り付けるようにして製造してもよい。
【００５８】
さらに、上記第２の実施形態例では、上下２段の光コネクタ挿入口の列が４列に配列されている例を示したが、上記上下２段の光コネクタ挿入口の列は２列でも、３列でも、５列以上でよく、数に限定されるものではない。
【００５９】
さらに、上記第３の実施形態例では、図４に示すように、上下２段の光コネクタ挿入口の列が１列であったが、もちろん、上記上下２段の光コネクタ挿入口の列は複数であってもよく、例えば、図３に示すように上下２段の光コネクタ挿入口の列が４列で、その配列の左右両側にそれぞれ縦向きの光コネクタ挿入口を設けてもよく、上下２段の光コネクタ挿入口の列の数は限定されないものである。
【００６０】
【発明の効果】
ハウジングの互いに対向する第１と第２の各開口部がそれぞれ仕切り部材によって上下２段に区分されて光コネクタ挿入口が２段に形成されている発明にあっては、１つの光コネクタ用アダプタで、２組の光コネクタの接続を行うことができる。
【００６１】
また、上記光コネクタ用アダプタは、上記第１の開口部と第２の開口部のうちの少なくとも一方の開口部における上段の光コネクタ挿入口の上部側と下段の光コネクタ挿入口の下部側にそれぞれクリップを装着しているので、上段と下段の各光コネクタ挿入口間にクリップを設ける場合に比べて、上記上段と下段の各光コネクタ挿入口間の間隔を格段に狭くすることができ、高密度な光コネクタ接続を図ることが容易となる。
【００６２】
ハウジングの互いに対向する第１と第２の横長の各開口部がそれぞれ横方向の仕切り部材により上下２段に区分され、かつ、縦方向の仕切り部材により２列以上に区分されてマトリクス状に配置された複数の光コネクタ挿入口が形成されている発明や、第１と第２の各開口部における上下２段の光コネクタ挿入口の配列領域の左右両側に上下２段の光コネクタ挿入口とは光コネクタ挿入方向が９０°異なる光コネクタ挿入口を形成した発明にあっては、１つの光コネクタ用アダプタで、多数の光コネクタの接続を行うことができることとなり、より一層高密度な光コネクタ接続を行うことができる。
【００６３】
ハウジングの上部側と下部側にそれぞれ取り付け用鍔部が突出形成されており、各クリップを操作した際に、そのクリップの操作部の突き出し高さを取り付け用鍔部の突き出し高さよりも低い位置に規制するクリップのストッパー手段が設けられているものにあっては、この発明の光コネクタ用アダプタを上下方向に配置する際に、上記クリップの操作部の突き出し高さを気にせずに、上下に隣り合う取り付け用鍔部の間を開けずに光コネクタ用アダプタを配置することができることとなり、光コネクタ用アダプタ間の間隔を非常に狭くすることができる。このことから、光コネクタ接続をシステム化する際に、省スペースで要求される数の光コネクタ接続を配置することが可能となる。
【図面の簡単な説明】
【図１】第１の実施形態例において特徴的な光コネクタ用アダプタを示す説明図である。
【図２】第１の実施形態例に示すクリップの構成を示す説明図である。
【図３】第２の実施形態例において特徴的な光コネクタ用アダプタを示す説明図である。
【図４】第３の実施形態例において特徴的な光コネクタ用アダプタを示す説明図である。
【図５】従来の光コネクタ用アダプタの一例を示すモデル図である。
【図６】図５に示す光コネクタ用アダプタの側面図である。
【図７】従来の課題を示す説明図である。
【符号の説明】
１  光コネクタ用アダプタ
２  ハウジング
３  第１の開口部
４  第２の開口部
５  光コネクタ
１１  取り付け用鍔部
１２  クリップ
１６  操作部
２０，２６，２７  仕切り部材
２１，２２，２３，２４，３０，３１，３２，３３  光コネクタ挿入口
【図１】
0003857859.tif 000002
【図２】
0003857859.tif 000003
【図３】
0003857859.tif 000004
【図４】
0003857859.tif 000005
【図５】
0003857859.tif 000006
【図６】
0003857859.tif 000007
【図７】
0003857859.tif 000008